(57)【要約】【課題】縁無し印刷を行う場合に、記録媒体が汚れてしまうのを抑制することができる画像形成装置を得る。【解決手段】画像形成装置を作動させると、先ず、ステップ１００で、制御部が、露光装置に入力される画像データに基づいてシート部材Ｐに転写される画像が縁無し画像であるか否かを判断し、縁無し画像である場合には、ステップ２００に移行する。ステップ２００では、制御部は、加熱ロールを制御して、加熱ロールの加熱温度を、シート部材に転写される画像が縁無し画像ではない場合と比して、低くする。このように、加熱ロールの加熱温度を低温にして定着することにより、トナーの溶融が抑制される。これにより、縁無し印刷の場合に発生するオフセット現象が抑制させる。つまり、縁無し印刷を行う場合に、シート部材Ｐが汚れてしまうのが抑制される。【選択図】図１
2013061615.tif 000002
【特許請求の範囲】
【請求項１】
像保持体に形成されたトナー画像を記録媒体に転写する転写部材と、
前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、
記録媒体に転写される画像が縁無し画像である場合に、前記加熱部材を制御して、前記加熱部材の加熱温度を、記録媒体に転写される画像が縁無し画像でない場合と比して、低くする制御部と、
を備える画像形成装置。
【請求項２】
像保持体に形成されたトナー画像を記録媒体に転写する転写部材と、
前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、
記録媒体に転写される画像が縁無し画像である場合に、前記加圧部材を制御して、前記加圧部材の加圧力を、記録媒体に転写される画像が縁無し画像でない場合と比して、低くする制御部と、
を備える画像形成装置。
【請求項３】
前記加熱部材及び前記加圧部材の少なくとも一方を回転させるための駆動源を備え、
前記制御部は、記録媒体に転写される画像が縁無し画像である場合に、前記駆動源を制御して、回転する加熱部材及び加圧部材の周速度を、記録媒体に転写される画像が縁無し画像ではない場合と比して、遅くする請求項１又は２に記載の画像形成装置。
【請求項４】
像保持体に形成されたトナー画像を記録媒体に転写する転写部材と、
前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、
前記加熱部材及び前記加圧部材の少なくとも一方を回転させるための駆動源と、
記録媒体の先端部に転写される画像が縁無し画像である場合に、前記加熱部材を制御して、前記加熱部材の加熱温度を、記録媒体の先端部に転写される画像が縁無し画像ではない場合と比して低くすると共に、前記駆動源を制御して、回転する加熱部材及び加圧部材の周速度を、記録媒体の先端部に転写される画像が縁無し画像ではない場合と比して遅くする制御部と、
を備える画像形成装置。
【請求項５】
像保持体に形成されたトナー画像を記録媒体に転写する転写部材と、
前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、
前記加熱部材及び前記加圧部材の少なくとも一方を回転させるための駆動源と、
記録媒体の先端部に転写される画像が縁無し画像である場合に、前記加圧部材を制御して、前記加圧部材の加圧力を、記録媒体の先端部に転写される画像が縁無し画像ではない場合と比して低くすると共に、前記駆動源を制御して、回転する加熱部材及び加圧部材の周速度を、記録媒体の先端部に転写される画像が縁無し画像ではない場合と比して遅くする制御部と、
を備える画像形成装置。
【請求項６】
像保持体に形成されたトナー画像を記録媒体に転写する転写部材と、
前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、
記録媒体の先端部に転写される画像が縁無しベタ画像である場合に、前記加熱部材を制御して、前記加熱部材の加熱温度を、記録媒体の先端部に転写される画像が縁無しベタ画像でない場合と比して、低くする制御部と、
を備える画像形成装置。
【請求項７】
像保持体に形成されたトナー画像を記録媒体に転写する転写部材と、
前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、
記録媒体の先端部に転写される画像が縁無しベタ画像である場合に、前記加圧部材を制御して、前記加圧部材の加圧力を、記録媒体の先端部に転写される画像が縁無しベタ画像でない場合と比して、低くする制御部と、
を備える画像形成装置。
【請求項８】
像保持体に形成されたトナー画像を記録媒体に転写する転写部材と、
前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、
記録媒体に転写される画像が縁無し画像かを入力する入力手段と、
記録媒体に転写される画像が縁無し画像であることが前記入力手段から入力された場合に、前記加熱部材を制御して、前記加熱部材の加熱温度を、記録媒体に転写される画像が縁無し画像であることが前記入力手段に入力されない場合と比して、低くする制御部と、
を備える画像形成装置。
【請求項９】
像保持体に形成されたトナー画像を記録媒体に転写する転写部材と、
前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、
記録媒体に転写される画像が縁無し画像かを入力する入力手段と、
記録媒体に転写される画像が縁無し画像であることが前記入力手段から入力された場合に、前記加圧部材を制御して、前記加圧部材の加圧力を、記録媒体に転写される画像が縁無し画像であることが前記入力手段に入力されない場合と比して、低くする制御部と、
を備える画像形成装置。
【請求項１０】
像保持体に形成されたトナー画像を記録媒体に転写する転写部材と、
前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、
前記像保持体に形成されたトナー画像が転写される一の記録媒体が、他の記録媒体と比してトナー画像の記録媒体への定着温度が高く設定されている高温定着記録媒体で有るか否かを入力する入力手段と、
トナー画像が転写される記録媒体が高温定着記録媒体であることを前記入力手段から入力され、かつ高温定着記録媒体に転写される画像が縁無し画像である場合に、前記加熱部材を制御して、前記加熱部材の加熱温度を、トナー画像が転写される記録媒体が高温定着記録媒体であることを前記入力手段から入力され、かつ高温定着記録媒体に転写される画像が縁無し画像でない場合と比して、低くする制御部と、
を備える画像形成装置。
【請求項１１】
像保持体に形成されたトナー画像を記録媒体に転写する転写部材と、
前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、
前記像保持体に形成されたトナー画像が転写される一の記録媒体が、他の記録媒体と比してトナー画像の記録媒体への定着温度が高く設定されている高温定着記録媒体で有るか否かを入力する入力手段と、
トナー画像が転写される記録媒体が高温定着記録媒体であることを前記入力手段から入力され、かつ高温定着記録媒体に転写される画像が縁無し画像である場合に、前記加圧部材を制御して、前記加圧部材の加圧力を、トナー画像が転写される記録媒体が高温定着記録媒体であることを前記入力手段から入力され、かつ高温定着記録媒体に転写される画像が縁無し画像でない場合と比して、低くする制御部と、
を備える画像形成装置。
【請求項１２】
前記加熱部材及び前記加圧部材の少なくとも一方を回転させるための駆動源を備え、
前記制御部は、記録媒体に転写される画像が縁無し画像であるために前記加熱部材の加熱温度を低くする場合に、前記駆動源を制御して、回転する加熱部材及び加圧部材の周速度を、記録媒体に転写される画像が縁無し画像ではない場合と比して、遅くする請求項６、８、１０の何れか１項に記載の画像形成装置。
【請求項１３】
前記加熱部材及び前記加圧部材の少なくとも一方を回転させるための駆動源を備え、
前記制御部は、記録媒体に転写される画像が縁無し画像であるために前記加圧部材の加圧力を低くする場合に、前記駆動源を制御して、回転する加熱部材及び加圧部材の周速度を、記録媒体に転写される画像が縁無し画像ではない場合と比して、遅くする請求項７、９、１１の何れか１項に記載の画像形成装置。
【請求項１４】
像保持体に形成されたトナー画像を記録媒体に転写する転写部材と、
前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、
記録媒体に転写される画像が縁無し画像である場合に、定着装置を制御して、記録媒体に転写される画像が縁無し画像でない場合と比して、記録媒体に与えるエネルギーを小さくする制御部と、
を備える画像形成装置。
【発明の詳細な説明】
【技術分野】
【０００１】
本発明は、画像形成装置に関する。
【背景技術】
【０００２】
特許文献１には、縁無しプリント（縁無し印刷）と通常プリントとで転写ユニットを切り替える画像形成装置が記載されている。
【先行技術文献】
【特許文献】
【０００３】
【特許文献１】特開２００７−４１５８２
【発明の概要】
【発明が解決しようとする課題】
【０００４】
本発明の課題は、縁無し印刷を行う場合に、記録媒体が汚れてしまうのを抑制することである。
【課題を解決するための手段】
【０００５】
本発明の請求項１に係る画像形成装置は、像保持体に形成されたトナー画像を記録媒体に転写する転写部材と、前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、記録媒体に転写される画像が縁無し画像である場合に、前記加熱部材を制御して、前記加熱部材の加熱温度を、記録媒体に転写される画像が縁無し画像でない場合と比して、低くする制御部と、を備えることを特徴とする。
【０００６】
本発明の請求項２に係る画像形成装置は、像保持体に形成されたトナー画像を記録媒体に転写する転写部材と、前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、記録媒体に転写される画像が縁無し画像である場合に、前記加圧部材を制御して、前記加圧部材の加圧力を、記録媒体に転写される画像が縁無し画像でない場合と比して、低くする制御部と、を備えることを特徴とする。
【０００７】
本発明の請求項３に係る画像形成装置は、請求項１又は２に記載において、前記加熱部材及び前記加圧部材の少なくとも一方を回転させるための駆動源を備え、前記制御部は、記録媒体に転写される画像が縁無し画像である場合に、前記駆動源を制御して、回転する加熱部材及び加圧部材の周速度を、記録媒体に転写される画像が縁無し画像ではない場合と比して、遅くすることを特徴とする。
【０００８】
本発明の請求項４に係る画像形成装置は、像保持体に形成されたトナー画像を記録媒体に転写する転写部材と、前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、前記加熱部材及び前記加圧部材の少なくとも一方を回転させるための駆動源と、記録媒体の先端部に転写される画像が縁無し画像である場合に、前記加熱部材を制御して、前記加熱部材の加熱温度を、記録媒体の先端部に転写される画像が縁無し画像ではない場合と比して低くすると共に、前記駆動源を制御して、回転する加熱部材及び加圧部材の周速度を、記録媒体の先端部に転写される画像が縁無し画像ではない場合と比して遅くする制御部と、を備えることを特徴とする。
【０００９】
本発明の請求項５に係る画像形成装置は、像保持体に形成されたトナー画像を記録媒体に転写する転写部材と、前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、前記加熱部材及び前記加圧部材の少なくとも一方を回転させるための駆動源と、記録媒体の先端部に転写される画像が縁無し画像である場合に、前記加圧部材を制御して、前記加圧部材の加圧力を、記録媒体の先端部に転写される画像が縁無し画像ではない場合と比して低くすると共に、前記駆動源を制御して、回転する加熱部材及び加圧部材の周速度を、記録媒体の先端部に転写される画像が縁無し画像ではない場合と比して遅くする制御部と、を備えることを特徴とする。
【００１０】
本発明の請求項６に係る画像形成装置は、像保持体に形成されたトナー画像を記録媒体に転写する転写部材と、前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、記録媒体の先端部に転写される画像が縁無しベタ画像である場合に、前記加熱部材を制御して、前記加熱部材の加熱温度を、記録媒体の先端部に転写される画像が縁無しベタ画像でない場合と比して、低くする制御部と、を備えることを特徴とする。
【００１１】
本発明の請求項７に係る画像形成装置は、像保持体に形成されたトナー画像を記録媒体に転写する転写部材と、前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、記録媒体の先端部に転写される画像が縁無しベタ画像である場合に、前記加圧部材を制御して、前記加圧部材の加圧力を、記録媒体の先端部に転写される画像が縁無しベタ画像でない場合と比して、低くする制御部と、を備えることを特徴とする。
【００１２】
本発明の請求項８に係る画像形成装置は、像保持体に形成されたトナー画像を記録媒体に転写する転写部材と、前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、記録媒体に転写される画像が縁無し画像かを入力する入力手段と、記録媒体に転写される画像が縁無し画像であることが前記入力手段から入力された場合に、前記加熱部材を制御して、前記加熱部材の加熱温度を、記録媒体に転写される画像が縁無し画像であることが前記入力手段に入力されない場合と比して、低くする制御部と、を備えることを特徴とする。
【００１３】
本発明の請求項９に係る画像形成装置は、像保持体に形成されたトナー画像を記録媒体に転写する転写部材と、前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、記録媒体に転写される画像が縁無し画像かを入力する入力手段と、記録媒体に転写される画像が縁無し画像であることが前記入力手段から入力された場合に、前記加圧部材を制御して、前記加圧部材の加圧力を、記録媒体に転写される画像が縁無し画像であることが前記入力手段に入力されない場合と比して、低くする制御部と、を備えることを特徴とする。
【００１４】
本発明の請求項１０に係る画像形成装置は、像保持体に形成されたトナー画像を記録媒体に転写する転写部材と、前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、前記像保持体に形成されたトナー画像が転写される一の記録媒体が、他の記録媒体と比してトナー画像の記録媒体への定着温度が高く設定されている高温定着記録媒体で有るか否かを入力する入力手段と、トナー画像が転写される記録媒体が高温定着記録媒体であることを前記入力手段から入力され、かつ高温定着記録媒体に転写される画像が縁無し画像である場合に、前記加熱部材を制御して、前記加熱部材の加熱温度を、トナー画像が転写される記録媒体が高温定着記録媒体であることを前記入力手段から入力され、かつ高温定着記録媒体に転写される画像が縁無し画像でない場合と比して、低くする制御部と、を備えることを特徴とする。
【００１５】
本発明の請求項１１に係る画像形成装置は、像保持体に形成されたトナー画像を記録媒体に転写する転写部材と、前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、前記像保持体に形成されたトナー画像が転写される一の記録媒体が、他の記録媒体と比してトナー画像の記録媒体への定着温度が高く設定されている高温定着記録媒体で有るか否かを入力する入力手段と、トナー画像が転写される記録媒体が高温定着記録媒体であることを前記入力手段から入力され、かつ高温定着記録媒体に転写される画像が縁無し画像である場合に、前記加圧部材を制御して、前記加圧部材の加圧力を、トナー画像が転写される記録媒体が高温定着記録媒体であることを前記入力手段から入力され、かつ高温定着記録媒体に転写される画像が縁無し画像でない場合と比して、低くする制御部と、を備えることを特徴とする。
【００１６】
本発明の請求項１２に係る画像形成装置は、請求項６、８、１０の何れか１項に記載において、前記加熱部材及び前記加圧部材の少なくとも一方を回転させるための駆動源を備え、前記制御部は、記録媒体に転写される画像が縁無し画像であるために前記加熱部材の加熱温度を低くする場合に、前記駆動源を制御して、回転する加熱部材及び加圧部材の周速度を、記録媒体に転写される画像が縁無し画像ではない場合と比して、遅くすることを特徴とする。
【００１７】
本発明の請求項１３に係る画像形成装置は、請求項７、９、１１の何れか１項に記載において、前記加熱部材及び前記加圧部材の少なくとも一方を回転させるための駆動源を備え、前記制御部は、記録媒体に転写される画像が縁無し画像であるために前記加圧部材の加圧力を低くする場合に、前記駆動源を制御して、回転する加熱部材及び加圧部材の周速度を、記録媒体に転写される画像が縁無し画像ではない場合と比して、遅くすることを特徴とする。
【００１８】
本発明の請求項１４に係る画像形成装置は、像保持体に形成されたトナー画像を記録媒体に転写する転写部材と、前記転写部材に対して記録媒体の搬送方向の下流側に設けられると共に、記録媒体に転写されたトナー画像を回転しながら加熱する加熱部材と、前記加熱部材に接して回転しながら記録媒体を前記加熱部材側に加圧してトナー画像を記録媒体に定着させる加圧部材とを備える定着装置と、記録媒体に転写される画像が縁無し画像である場合に、定着装置を制御して、記録媒体に転写される画像が縁無し画像でない場合と比して、記録媒体に与えるエネルギーを小さくする制御部と、を備えることを特徴とする。
【発明の効果】
【００１９】
本発明の請求項１の画像形成装置によれば、縁無し画像である場合と縁無し画像でない場合とで加熱部材の加熱温度が同じ場合と比して、縁無し印刷を行う場合に、記録媒体が汚れてしまうのを抑制することができる。
【００２０】
本発明の請求項２の画像形成装置によれば、縁無し画像である場合と縁無し画像でない場合とで加圧部材の加圧力が同じ場合と比して、縁無し印刷を行う場合に、記録媒体が汚れてしまうのを抑制することができる。
【００２１】
本発明の請求項３の画像形成装置によれば、縁無し画像である場合と縁無し画像でない場合とで加熱部材及び加圧部材の周速度が同じ場合と比して、記録媒体に転写された画像の光沢（グロス）が低下するのを抑制することができる。
【００２２】
本発明の請求項４の画像形成装置によれば、記録媒体の先端部に転写される画像が縁無し画像である場合と、記録媒体の先端部に転写される画像が縁無し画像でない場合とで加熱部材の加熱温度が同じ場合と比して、縁無し印刷を行う場合に、記録媒体が汚れてしまうのを抑制した上で、生産性が低下するのを抑制することができる。
【００２３】
本発明の請求項５の画像形成装置によれば、記録媒体の先端部に転写される画像が縁無し画像である場合と、記録媒体の先端部に転写される画像が縁無し画像でない場合とで加圧部材の加圧力が同じ場合と比して、縁無し印刷を行う場合に、記録媒体が汚れてしまうのを抑制した上で、生産性が低下するのを抑制することができる。
【００２４】
本発明の請求項６の画像形成装置によれば、記録媒体の先端部に転写される画像が縁無しベタ画像ある場合と、記録媒体の先端部に転写される画像が縁無しベタ画像でない場合とで加熱部材の加熱温度が同じ場合と比して、縁無し印刷を行う場合に、記録媒体が汚れてしまうのを抑制することができる。
【００２５】
本発明の請求項７の画像形成装置によれば、記録媒体の先端部に転写される画像が縁無しベタ画像ある場合と、記録媒体の先端部に転写される画像が縁無しベタ画像でない場合とで加圧部材の加圧力が同じ場合と比して、縁無し印刷を行う場合に、記録媒体が汚れてしまうのを抑制することができる。
【００２６】
本発明の請求項８の画像形成装置によれば、記録媒体に転写される画像が縁無し画像か否かを入力する入力手段が設けられていない場合と比して、縁無し印刷を行う場合に、記録媒体が汚れてしまうのを抑制することができる。
【００２７】
本発明の請求項９の画像形成装置によれば、記録媒体に転写される画像が縁無し画像か否かを入力する入力手段が設けられていない場合と比して、縁無し印刷を行う場合に、記録媒体が汚れてしまうのを抑制することができる。
【００２８】
本発明の請求項１０の画像形成装置によれば、トナー画像の記録媒体への定着温度が他の記録媒体と比して高く設定されている高温定着記録媒体で、かつ転写される画像が縁無し画像である場合と、トナー画像の記録媒体への定着温度が他の記録媒体と比して高く設定されている高温定着記録媒体で、かつ転写される画像が縁無し画像でない場合とで加熱部材の加熱温度が同じ場合と比して、縁無し印刷を行う場合に、記録媒体が汚れてしまうのを抑制することができる。
【００２９】
本発明の請求項１１の画像形成装置によれば、トナー画像の記録媒体への定着温度が他の記録媒体と比して高く設定されている高温定着記録媒体で、かつ転写される画像が縁無し画像である場合と、トナー画像の記録媒体への定着温度が他の記録媒体と比して高く設定されている高温定着記録媒体で、かつ転写される画像が縁無し画像でない場合とで加圧部材の加圧力が同じ場合と比して、縁無し印刷を行う場合に、記録媒体が汚れてしまうのを抑制することができる。
【００３０】
本発明の請求項１２の画像形成装置によれば、記録媒体に転写される画像が縁無し画像であるために加熱部材の加熱温度を低くする場合に、回転する加熱部材の周速度が、記録媒体に転写される画像が縁無し画像ではない場合と同じ場合と比して、縁無し印刷を行う場合に、記録媒体に転写された画像の光沢（グロス）が低下するのを抑制することができる。
【００３１】
本発明の請求項１３の画像形成装置によれば、記録媒体に転写される画像が縁無し画像であるために加圧部材の加圧力を低くする場合に、回転する加熱部材の周速度が、記録媒体に転写される画像が縁無し画像ではない場合と同じ場合と比して、縁無し印刷を行う場合に、記録媒体に転写された画像の光沢（グロス）が低下するのを抑制することができる。
【００３２】
本発明の請求項１４の画像形成装置によれば、記録媒体に転写される画像が縁無し画像である場合に、記録媒体に与えるエネルギーが、記録媒体に転写される画像が縁無し画像でない場合と同じ場合と比して、縁無し印刷を行う場合に、記録媒体が汚れてしまうのを抑制することができる。
【図面の簡単な説明】
【００３３】
【図１】本発明の第１実施形態に係る画像形成装置に用いられる制御フローを示したフロー図である。
【図２】本発明の第１実施形態に係る画像形成装置を示した概略構成図である。
【図３】本発明の第２実施形態に係る画像形成装置に用いられる制御フローを示したフロー図である。
【図４】本発明の第３実施形態に係る画像形成装置に用いられる制御フローを示したフロー図である。
【図５】本発明の第４実施形態に係る画像形成装置に用いられる制御フローを示したフロー図である。
【図６】本発明の第４実施形態に係る画像形成装置を示した概略構成図である。
【図７】本発明の第５実施形態に係る画像形成装置に用いられる制御フローを示したフロー図である。
【図８】本発明の第５実施形態に係る画像形成装置を示した概略構成図である。
【図９】本発明の第６実施形態に係る画像形成装置に用いられる制御フローを示したフロー図である。
【図１０】本発明の第６実施形態に係る画像形成装置を示した概略構成図である。
【図１１】本発明の第７実施形態に係る画像形成装置に用いられる制御フローを示したフロー図である。
【図１２】本発明の第８実施形態に係る画像形成装置に用いられる制御フローを示したフロー図である。
【図１３】本発明の第９実施形態に係る画像形成装置に用いられる制御フローを示したフロー図である。
【図１４】本発明の第９実施形態に係る画像形成装置を示した概略構成図である。
【図１５】本発明の第１０実施形態に係る画像形成装置に用いられる制御フローを示したフロー図である。
【図１６】本発明の第１０実施形態に係る画像形成装置を示した概略構成図である。
【発明を実施するための形態】
【００３４】
本発明の第１実施形態に係る画像形成装置の一例を図１〜図２に従って説明する。なお図中に示す矢印ＵＰは鉛直方向上方を示す。
【００３５】
（全体構成）
図２に示されるように、画像形成装置１０は、一様に帯電された後、レーザー光を照射することにより表面に静電潜像が形成される像保持体１２と、像保持体１２の表面を一様に帯電させる帯電装置１４と、外部からの画像データに基づいて像保持体１２にレーザー光を照射して静電潜像を形成する露光装置１６と、この静電潜像にトナーを転移してトナー画像として可視化する現像装置１８と、搬送経路２０に沿って供給される記録媒体としてのシート部材Ｐに像保持体１２の表面のトナー画像を転写する転写部材の一例としての転写ロール２２と、シート部材Ｐ上のトナー画像を加熱・加圧してシート部材Ｐに定着させる定着装置２４と、トナー画像が転写された後の像保持体１２に残留するトナーを清掃するクリーニング装置２６とを備えている。
【００３６】
また、画像形成装置１０は、本体側面カバー１０Ｂ及び天板１０Ａで覆われている。そして、本体側面カバー１０Ｂの上端角部分には、天板１０Ａを回転可能に本体側面カバー１０Ｂに連結する軸１０Ｃが設けられており、天板１０Ａを、軸１０Ｃを中心とて矢印Ａ方向に回転させることで、画像形成装置１０の内部が開放されるようになっている。
【００３７】
ここで、帯電装置１４とクリーニング装置２６とは一つの帯電ユニット２８として構成され、現像装置１８と像保持体１２とは一つのプロセスカートリッジとしての交換カートリッジ３０とされている。そして、画像形成装置１０の天板１０Ａを開放することで、帯電ユニット２８及び交換カートリッジ３０は、夫々画像形成装置１０内部の本体フレーム（図示せず）に対して着脱可能となっている。
【００３８】
また、この画像形成装置１０の側方には、像保持体１２と転写ロール２２とで形成される画像形成部３１に、シート部材Ｐを手差しで供給することができる手差給紙台３２が備えており、この手差給紙台３２には、半月形状の送出ロール３４が設けられている。さらに、送出ロール３４に対してシート部材Ｐを挟んで分離ロール３６が設けられている。
【００３９】
この分離ロール３６は、両端部に設けられた図示せぬ支持部材に回転可能に支持され、さらに、支持部材の内部に設けられたコイルスプリングの付勢力で、送出ロール３４に向って付勢されている。この構成により、送出ロール３４が回転すると手差給紙台３２に載せられたシート部材Ｐが送出ロール３４と分離ロール３６によって一枚ずつ、画像形成部３１に送られるようになっている。
【００４０】
また、この画像形成装置１０内の下側には、シート部材Ｐを一枚ずつ給紙する給紙装置４０が設けられている。給紙装置４０は、シート部材Ｐが複数枚積載された給紙部材４１を備えており、給紙部材４１に積載されたシート部材Ｐは、取出ロール４２によって順次取り出され、さらに、回転駆動する給紙ロール４４と給紙部材４１に設けられた分離ロール４６によって、一枚ずつ搬送される構成となっている。
【００４１】
さらに、シート部材Ｐの搬送経路２０に沿って複数個の搬送ロール４８が設けられており、シート部材Ｐが搬送経路２０に沿ってシート部材Ｐの搬送方向の下流側（以下単に搬送方向下流側）へ搬送されるようになっている。
【００４２】
また、画像形成部３１の搬送方向下流側には、前述した定着装置２４が設けられている。定着装置２４は、内部に発熱体を備えて外周面が加熱される加熱部材の一例としての加熱ロール２４Ｈと、加熱ロール２４Ｈに接して回転すると共にシート部材Ｐを加熱ロール２４Ｈに向けて押し付ける加圧部材の一例としての加圧ロール２４Ｎとを備えている。
【００４３】
さらに、加熱ロール２４Ｈを回転させるための駆動源の一例としてのモータ６０が加熱ロール２４Ｈに隣接して配置されている。
【００４４】
この構成により、回転する加熱ロール２４Ｈと加圧ロール２４Ｎとの間をシート部材Ｐが挟持搬送されることで、シート部材Ｐに転写されたトナー画像がシート部材Ｐに定着させるようになっている。
【００４５】
さらに、定着装置２４の搬送方向下流側には、トナー画像が定着されたシート部材Ｐを天板１０Ａの上面に排出する排出ロール５０が設けられている。
【００４６】
また、この画像形成装置１０には、露光装置１６に入力される画像データに基づいてシート部材Ｐに転写される画像が縁無し画像であるか否かを判断し、加熱ロール２４Ｈ及びモータ６０を制御する制御部６２が設けられている。なお、制御部６２の構成については、後述する作用と共に説明する。
【００４７】
ここで、シート部材Ｐの何れかの辺に縁（余白）が存在しないトナー画像が転写される場合を縁無し画像と称する。つまり、縁無し画像とは、シート部材Ｐの全ての辺（４辺）に縁が存在しないトナー画像に限られるものではない。
【００４８】
上記構成による画像形成装置１０では、次のようにして画像が形成される。
【００４９】
まず、電圧が印加された帯電装置１４は、像保持体１２の表面を予定の電位で一様にマイナス帯電する。続いて、外部から入力された画像データに基づいて露光装置１６が帯電された像保持体１２の表面を露光し、像保持体１２の表面に静電潜像を形成する。
【００５０】
つまり、図示しない制御装置から供給される画像データに基づき、露光装置１６のレーザーをオン・オフすることによってこの画像データに対応した静電潜像が像保持体１２上に形成される。さらに、この静電潜像は、現像装置１８から供給されるトナーによってトナー画像として可視化される。
【００５１】
そこで、給紙部材４１から取出ロール４２によって取り出されたシート部材Ｐが、給紙ロール４４と分離ロール４６とによって一枚ずつ搬送ロール４８に渡されて搬送経路２０に送り出される。搬送経路２０に送り出されたシート部材Ｐは、像保持体１２と転写ロール２２との間に形成された画像形成部３１を通り、トナー画像がシート部材Ｐに転写される。この転写されたトナー画像は、定着装置２４に備えられた加熱ロール２４Ｈと加圧ロール２４Ｎとの間を通過することでシート部材Ｐに定着され，排出ロール５０によって天板１０Ａの上面に排出される。
【００５２】
なお、本実施形態の画像形成装置１０では、現像装置１８は１台であるが、カラー画像を形成する場合には、像保持体１２と対向する位置に、Ｙ（イエロー）、Ｍ（マゼンタ）、Ｃ（シアン）、Ｋ（ブラック）の４色分の現像装置１８が配置される構成となる。
【００５３】
（要部構成の作用）
次に、制御部６２の制御について、図１に示すフロー図を用いて説明する。
【００５４】
図１に示されるように、画像形成装置１０を作動させると、先ず、ステップ１００で、制御部６２が、露光装置１６に入力される画像データに基づいてシート部材Ｐに転写される画像が縁無し画像であるか否かを判断する。シート部材Ｐに転写されるトナー画像が縁無し画像であると判断された場合には、ステップ２００に移行する。
【００５５】
ステップ２００では、制御部６２は、加熱ロール２４Ｈを制御して、加熱ロール２４Ｈの加熱温度を、シート部材に転写される画像が縁無し画像ではない場合と比して、低くする。具体的には、一例として、シート部材に転写される画像が縁無し画像ではない場合に加熱温度（定着温度）が１４５〔℃〕であるのに対して、シート部材Ｐに転写されるトナー画像が縁無し画像である場合には、加熱温度（定着温度）を１４０〔℃〕とする。
【００５６】
さらに、制御部６２は、モータ６０を制御して、加熱ロール２４Ｈの周速度を、シート部材に転写される画像が縁無し画像ではない場合と比して、遅くする。具体的には、一例として、シート部材に転写される画像が縁無し画像ではない場合に周速度（定着速度）が２６６〔ｍｍ／ｓｅｃ〕であるのに対して、シート部材Ｐに転写されるトナー画像が縁無し画像である場合には、周速度（定着速度）を２２４〔ｍｍ／ｓｅｃ〕とする。
【００５７】
制御部６２が、前述したように加熱ロール２４Ｈ及びモータ６０を制御すると、ステップ３００に移行する。
【００５８】
ステップ３００では、回転する加熱ロール２４Ｈと加圧ロール２４Ｎとの間をトナー画像が転写されたシート部材Ｐが挟持搬送される。これにより、シート部材Ｐに転写されたトナー画像をシート部材Ｐに定着させ、ステップ４００に移行する。
【００５９】
ステップ４００では、トナー画像が定着したシート部材Ｐが、排出ロール５０によって
天板１０Ａの上面に排出されて終了する。
【００６０】
なお、ステップ１００で、制御部６２が、シート部材Ｐに転写されるトナー画像が縁無し画像でないと判断された場合には、直接ステップ３００、ステップ４００に移行する。
【００６１】
以上説明したように、加熱ロール２４Ｈの加熱温度を低温にして定着することにより、トナーの溶融が抑制される。これにより、縁無し印刷の場合に発生するオフセット現象が抑制させる。つまり、縁無し印刷を行う場合に、シート部材Ｐが汚れてしまうのが抑制される。なお、オフセット現象とは、トナー画像の一部が加熱ロール２４Ｈに付着及び／又は転移し、次のシート部材Ｐに再転移して、次のシート部材Ｐに形成された画像の品質を低下させる現象である。
【００６２】
また、加熱ロール２４Ｈの周速度を低速にして定着することにより、定着に必要な熱量（熱エネルギ）を確保することで、出力画像に光沢（グロス）低下が発生したり、トナー画像の定着不良が発生するのが抑制される。
【００６３】
＜第２実施形態＞
本発明の第２実施形態に係る画像形成装置の一例を図３に従って説明する。なお、第１実施形態と同一部材については、同一符号を付してその説明を省略する。
【００６４】
図３に示されるように、画像形成装置１０を作動させると、先ず、ステップ１００で、制御部６２が、露光装置１６に入力される画像データに基づいてシート部材Ｐの先端部に転写される画像が縁無し画像であるか否かを判断する。シート部材Ｐの先端部に転写されるトナー画像が縁無し画像であると判断された場合には、ステップ２００に移行する。
【００６５】
このように、オフセット現象が生じ易い、シート部材の先端部に転写されるトナー画像が縁無し画像である場合にのみ、加熱ロール２４Ｈの加熱温度を低くし、さらに、加熱ロール２４Ｈの周速度を低速にする。これにより、縁無し印刷を行う場合に、シート部材Ｐが汚れてしまうのを抑制した上で、生産性が低下するのが抑制される。
【００６６】
他の作用については、第１実施例と同様である。
【００６７】
＜第３実施形態＞
本発明の第３実施形態に係る画像形成装置の一例を図４に従って説明する。なお、第１実施形態と同一部材については、同一符号を付してその説明を省略する。
【００６８】
図４に示されるように、画像形成装置１０を作動させると、先ず、ステップ１００で、制御部６２が、露光装置１６に入力される画像データに基づいてシート部材Ｐの先端部に転写される画像が縁無しベタ画像であるか否かを判断する。シート部材Ｐの先端部に転写されるトナー画像が縁無しベタ画像であると判断された場合には、ステップ２００に移行する。ここで、ベタ画像とは、シート部材Ｐの生地が見えなくなるようにトナーが転写される画像である。
【００６９】
このように、オフセット現象が生じ易い、シート部材の先端部に転写されるトナー画像が縁無しベタ画像である場合にのみ、加熱ロール２４Ｈの加熱温度を低くし、さらに、加熱ロール２４Ｈの周速度を低速にする。これにより、縁無し印刷を行う場合に、シート部材Ｐが汚れてしまうのを抑制した上で、生産性が低下するのが抑制される。
【００７０】
他の作用については、第１実施例と同様である。
【００７１】
＜第４実施形態＞
本発明の第４実施形態に係る画像形成装置の一例を図５〜図６に従って説明する。なお、第１実施形態と同一部材については、同一符号を付してその説明を省略する。
【００７２】
図６に示されるように、画像形成装置１０には、シート部材Ｐに転写される画像が縁無し画像かをユーザが入力する入力手段の一例としての入力部７０が設けられている。
【００７３】
図５に示されるように、画像形成装置１０を作動させると、先ず、ステップ１００で、制御部６２が、入力部７０への入力に基づいてシート部材Ｐに転写される画像が縁無し画像であるか否かを判断する。シート部材Ｐに転写されるトナー画像が縁無し画像であると判断された場合には、ステップ２００に移行する。
【００７４】
このように、シート部材Ｐに転写される画像が縁無し画像であることをユーザが入力部７０に入力した場合にのみ、加熱ロール２４Ｈの加熱温度を低くし、さらに、加熱ロール２４Ｈの周速度を低速にする。これにより、縁無し印刷を行う場合に、シート部材Ｐが汚れてしまうのを抑制した上で、生産性が低下するのが抑制される。
【００７５】
他の作用については、第１実施例と同様である。
【００７６】
＜第５実施形態＞
本発明の第５実施形態に係る画像形成装置の一例を図７〜図８に従って説明する。なお、第１実施形態と同一部材については、同一符号を付してその説明を省略する。
【００７７】
図８に示されるように、画像形成装置１０には、使用される記録媒体が、他の記シート部材Ｐと比してトナー画像のシート部材Ｐへの定着温度（加熱温度）が高く設定されている高温定着記録媒体であるか否かをユーザが入力する入力手段の一例としての入力部７４が設けられている。
【００７８】
図７に示されるように、画像形成装置１０を作動させると、先ず、ステップ１００で、制御部６２は、入力部７４への入力に基づいて使用される記録媒体が高温定着記録媒体であるか否かを判断する。さらに、制御部６２は、露光装置１６に入力される画像データに基づいてシート部材Ｐに転写される画像が縁無し画像であるか否かを判断する。
【００７９】
制御部６２が、使用される記録媒体が高温定着記録媒体で、かつ高温定着記録媒体に転写される画像が縁無し画像であると判断した場合に、ステップ２００に移行する。
【００８０】
なお、高温定着記録媒体の一例としては、コート紙や厚紙等があげられる。
【００８１】
使用される記録媒体が高温定着記録媒体で、かつ高温定着記録媒体に転写される画像が縁無し画像である場合にのみ、加熱ロール２４Ｈの加熱温度を低くし、さらに、加熱ロール２４Ｈの周速度を低速にする。
【００８２】
このように、オフセット現象が生じ易い、高温定着記録媒体を用いて縁無し印刷を行う場合にのみ、加熱ロール２４Ｈの加熱温度を低くし、さらに、加熱ロール２４Ｈの周速度を低速にする。これにより、縁無し印刷を行う場合に、シート部材Ｐが汚れてしまうのを抑制した上で、生産性が低下するのが抑制される。
【００８３】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、単色の画像を出力するために用いられる画像形成装置１０を用いて、制御部６２の制御を説明したが、複数色のトナー画像を重ね合せてカラー画像を出力するために用いられる画像形成装置であってもよい。
【００８４】
また、上記実施形態では、制御部６２が、露光装置１６に入力される画像データに基づいてシート部材Ｐに転写される画像が縁無し画像であるか否かを判断したが、縁無し画像であるか否かを判断する判断部を制御部とは別に設けてもよい。
【００８５】
また、上記実施形態では、モータ６０が加熱ロール２４Hを回転させ、加圧ロール２４Nが加熱ロール２４Hと接して回転（従動回転）する構成について説明したが、加圧ロールに別の駆動源を設けて加圧ロールを回転させてもよい、この場合には、制御部は、加熱ロール及び加圧ロールの駆動源を制御することとなる。
【００８６】
また、上記実施形態では、加熱ロール２４Hの周速度を制御することについて記載したが、加熱ロールの周速度を速く又は遅く制御するという記載は、加圧ロールが加熱ロールに接しているため、加圧ロールの周速度を速く又は遅く制御すると同義となる。
【００８７】
＜第６実施形態＞
本発明の第６実施形態に係る画像形成装置の一例を図９、１０に従って説明する。なお、第１実施形態と同一部材については、同一符号を付してその説明を省略する。
【００８８】
図１０に示されるように、画像形成装置１０には、露光装置１６に入力される画像データに基づいてシート部材Ｐに転写される画像が縁無し画像であるか否かを判断し、加圧ロール２Ｎ及びモータ６０を制御する制御部８０が設けられている。
【００８９】
図９に示されるように、画像形成装置１０を作動させると、先ず、ステップ１００で、制御部８０が、露光装置１６に入力される画像データに基づいてシート部材Ｐに転写される画像が縁無し画像であるか否かを判断する。シート部材Ｐに転写されるトナー画像が縁無し画像であると判断された場合には、ステップ２００に移行する。
【００９０】
ステップ２００では、制御部８０は、加熱ロール２４Ｈではなく、加圧ロール２４Ｎを制御して、加圧ロール２４Ｎの加圧力を、シート部材に転写される画像が縁無し画像ではない場合と比して、低くする。具体的には、一例として、シート部材に転写される画像が縁無し画像ではない場合に加圧力が４．０〔Ｋｇｆ／ｃｍ２〕であるのに対して、シート部材Ｐに転写されるトナー画像が縁無し画像である場合には、加圧力を２．０〔Ｋｇｆ／ｃｍ２〕とする。
【００９１】
さらに、制御部８０は、モータ６０を制御して、加熱ロール２４Ｈの周速度を、シート部材Ｐに転写される画像が縁無し画像ではない場合と比して、遅くする。具体的には、一例として、シート部材に転写される画像が縁無し画像ではない場合に周速度（定着速度）が２６６〔ｍｍ／ｓｅｃ〕であるのに対して、シート部材Ｐに転写されるトナー画像が縁無し画像である場合には、周速度（定着速度）を２２４〔ｍｍ／ｓｅｃ〕とする。
【００９２】
制御部８０が、前述したように加圧ロール２４Ｎ及びモータ６０を制御すると、ステップ３００に移行する。
【００９３】
以上説明したように、加圧ロール２４Ｎの加圧力を低圧にして定着することにより、トナーの溶融が抑制される。これにより、縁無し印刷の場合に発生するオフセット現象が抑制させる。つまり、縁無し印刷を行う場合に、シート部材Ｐが汚れてしまうのが抑制される。
【００９４】
また、加熱ロール２４Ｈの周速度を低速にして定着することにより、定着に必要な加圧量（加圧エネルギ）を確保することで、出力画像に光沢（グロス）低下が発生したり、トナー画像の定着不良が発生するのが抑制される。
【００９５】
他の作用については、第１実施例と同様である。
＜第７実施形態＞
本発明の第７実施形態に係る画像形成装置の一例を図１１に従って説明する。なお、第６実施形態と同一部材については、同一符号を付してその説明を省略する。
【００９６】
図１１に示されるように、画像形成装置１０を作動させると、先ず、ステップ１００で、制御部８０が、露光装置１６に入力される画像データに基づいてシート部材Ｐの先端部に転写される画像が縁無し画像であるか否かを判断する。シート部材Ｐの先端部に転写されるトナー画像が縁無し画像であると判断された場合には、ステップ２００に移行する。
【００９７】
このように、オフセット現象が生じ易い、シート部材の先端部に転写されるトナー画像が縁無し画像である場合にのみ、加圧ロール２４Ｈの加圧力を低くし、さらに、加熱ロール２４Ｈの周速度を低速にする。これにより、縁無し印刷を行う場合に、シート部材Ｐが汚れてしまうのを抑制した上で、生産性が低下するのが抑制される。
【００９８】
他の作用については、第６実施例と同様である。
＜第８実施形態＞
本発明の第８実施形態に係る画像形成装置の一例を図１２に従って説明する。なお、第６実施形態と同一部材については、同一符号を付してその説明を省略する。
【００９９】
図１２に示されるように、画像形成装置１０を作動させると、先ず、ステップ１００で、制御部８０が、露光装置１６に入力される画像データに基づいてシート部材Ｐの先端部に転写される画像が縁無しベタ画像であるか否かを判断する。シート部材Ｐの先端部に転写されるトナー画像が縁無しベタ画像であると判断された場合には、ステップ２００に移行する。ここで、ベタ画像とは、シート部材Ｐの生地が見えなくなるようにトナーが転写される画像である。
【０１００】
このように、オフセット現象が生じ易い、シート部材の先端部に転写されるトナー画像が縁無しベタ画像である場合にのみ、加圧ロール２４Ｎの加圧力を低くし、さらに、加熱ロール２４Ｈの周速度を低速にする。これにより、縁無し印刷を行う場合に、シート部材Ｐが汚れてしまうのを抑制した上で、生産性が低下するのが抑制される。
【０１０１】
他の作用については、第６実施例と同様である。
＜第９実施形態＞
本発明の第９実施形態に係る画像形成装置の一例を図１３〜図１４に従って説明する。なお、第６実施形態と同一部材については、同一符号を付してその説明を省略する。
【０１０２】
図１４に示されるように、画像形成装置１０には、シート部材Ｐに転写される画像が縁無し画像かをユーザが入力する入力手段の一例としての入力部８２が設けられている。
【０１０３】
図１３に示されるように、画像形成装置１０を作動させると、先ず、ステップ１００で、制御部８０が、入力部８２への入力に基づいてシート部材Ｐに転写される画像が縁無し画像であるか否かを判断する。シート部材Ｐに転写されるトナー画像が縁無し画像であると判断された場合には、ステップ２００に移行する。
【０１０４】
このように、シート部材Ｐに転写される画像が縁無し画像であることをユーザが入力部８２に入力した場合にのみ、加圧ロール２４Ｎの加圧力を低くし、さらに、加熱ロール２４Ｈの周速度を低速にする。これにより、縁無し印刷を行う場合に、シート部材Ｐが汚れてしまうのを抑制した上で、生産性が低下するのが抑制される。
【０１０５】
他の作用については、第６実施例と同様である。
＜第１０実施形態＞
本発明の第１０実施形態に係る画像形成装置の一例を図１５〜図１６に従って説明する。なお、第６実施形態と同一部材については、同一符号を付してその説明を省略する。
【０１０６】
図１６に示されるように、画像形成装置１０には、使用される記録媒体が、他の記シート部材Ｐと比してトナー画像のシート部材Ｐへの定着温度（加熱温度）が高く設定されている高温定着記録媒体であるか否かをユーザが入力する入力手段の一例としての入力部８４が設けられている。
【０１０７】
図１５に示されるように、画像形成装置１０を作動させると、先ず、ステップ１００で、制御部８０は、入力部８４への入力に基づいて使用される記録媒体が高温定着記録媒体であるか否かを判断する。さらに、制御部８０は、露光装置１６に入力される画像データに基づいてシート部材Ｐに転写される画像が縁無し画像であるか否かを判断する。
【０１０８】
制御部８０が、使用される記録媒体が高温定着記録媒体で、かつ高温定着記録媒体に転写される画像が縁無し画像であると判断した場合に、ステップ２００に移行する。
【０１０９】
なお、高温定着記録媒体の一例としては、コート紙や厚紙等があげられる。
【０１１０】
使用される記録媒体が高温定着記録媒体で、かつ高温定着記録媒体に転写される画像が縁無し画像である場合にのみ、加圧ロール２４Ｎの加圧力を低くし、さらに、加熱ロール２４Ｈの周速度を低速にする。
【０１１１】
このように、オフセット現象が生じ易い、高温定着記録媒体を用いて縁無し印刷を行う場合にのみ、加圧ロール２４Ｎの加圧力を低くし、さらに、加熱ロール２４Ｈの周速度を低速にする。これにより、縁無し印刷を行う場合に、シート部材Ｐが汚れてしまうのを抑制した上で、生産性が低下するのが抑制される。
【０１１２】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、単色の画像を出力するために用いられる画像形成装置１０を用いて、制御部６２、８０の制御を説明したが、複数色のトナー画像を重ね合せてカラー画像を出力するために用いられる画像形成装置であってもよい。
【０１１３】
また、上記実施形態では、制御部６２、８０が、露光装置１６に入力される画像データに基づいてシート部材Ｐに転写される画像が縁無し画像であるか否かを判断したが、縁無し画像であるか否かを判断する判断部を制御部とは別に設けてもよい。
【０１１４】
また、上記実施形態では、モータ６０が加熱ロール２４Ｈを回転させ、加圧ロール２４Ｎが加熱ロール２４Ｈと接して回転（従動回転）する構成について説明したが、加圧ロールに別の駆動源を設けて加圧ロールを回転させてもよい、この場合には、制御部は、加熱ロール及び加圧ロールの駆動源を制御することとなる。
【０１１５】
また、上記実施形態では、加熱ロール２４Ｈの周速度を制御することについて記載したが、加熱ロールの周速度を速く又は遅く制御するという記載は、加圧ロールが加熱ロールに接しているため、加圧ロールの周速度を速く又は遅く制御すると同義となる。
【０１１６】
また、上記実施形態は、説明のために例示したものであって、本発明としてはそれらに限定されるものではなく、特許請求の範囲、明細書および図面の記載から当業者が認識することができる本発明の技術的思想に反しない限り、各実施形態の組み合わせ、変更、削除および付加が可能である。
【符号の説明】
【０１１７】
１０          画像形成装置
１２          像保持体
２４          定着装置
２２          転写ロール（転写部材の一例）
２４Ｎ        加圧ロール（加圧部材の一例）
２４Ｈ        加熱ロール（加熱部材の一例）
６０          モータ（駆動源の一例）
６２          制御部
７０          入力部（入力手段の一例）
７４          入力部（入力手段の一例）
８０          制御部
８２          入力部（入力手段の一例）
８４          入力部（入力手段の一例）
【図１】
2013061615.tif 000003
【図２】
2013061615.tif 000004
【図３】
2013061615.tif 000005
【図４】
2013061615.tif 000006
【図５】
2013061615.tif 000007
【図６】
2013061615.tif 000008
【図７】
2013061615.tif 000009
【図８】
2013061615.tif 000010
【図９】
2013061615.tif 000011
【図１０】
2013061615.tif 000012
【図１１】
2013061615.tif 000013
【図１２】
2013061615.tif 000014
【図１３】
2013061615.tif 000015
【図１４】
2013061615.tif 000016
【図１５】
2013061615.tif 000017
【図１６】
2013061615.tif 000018